【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
シートが束状に積載される積載手段と、
前記積載手段に積載されたシート束を綴じる綴じ手段と、
前記綴じ手段によって綴じられたシート束を搬送する搬送手段と、を備え、
前記搬送手段が、綴じられたシート束に対して接離可能にシート搬送方向に沿って複数配列され、
前記複数の搬送手段のうち、搬送されてくるシート束の前記綴じ手段で綴じられた綴じ部の下流側隣に位置する搬送手段が、シート束から離間し、さらに下流側の搬送手段が、シート束を搬送することを特徴とするシート処理装置。
【請求項２】
前記綴じ手段として、シート束のシート搬送方向の上流側端部を綴じ部とする端部綴じ手段と、シート搬送方向のシート束の中間部を綴じ部とする中間部綴じ手段とを備え、前記中間部綴じ手段によって綴じられたシート束の中間部で折り曲げる折り手段と、前記端部綴じ手段によって綴じられたシート束を案内する第１案内路と、前記中間部綴じ手段によって綴じられたシート束を前記折り手段に案内する第２案内路とを備えたことを特徴とする請求項１に記載のシート処理装置。
【請求項３】
シート束から離間した前記搬送手段が、離間したままに保持されることを特徴とする請求項１又は２に記載のシート処理装置。
【請求項４】
前記複数の搬送手段の内、シート束に対向した搬送手段において、最下流側の搬送手段がシート束に当接し、残りの搬送手段がシート束から離間保持されることを特徴とする請求項１乃至３のいずれか１項に記載のシート処理処置。
【請求項５】
前記隣同士の搬送手段の配置間隔が、シート搬送方向上流側のシート搬送手段がシート束から離間したとき、シート搬送方向下流側の搬送手段で搬送できる間隔に設定されていることを特徴とする請求項１乃至４いずれか１項に記載のシート処理装置。
【請求項６】
前記複数の搬送手段の内、搬送されてくるシート束の先端の下流側隣に位置する搬送手段が前記先端に接触しない位置に退避可能であることを特徴とする請求項１乃至５のいずれか１項に記載のシート処理装置。
【請求項７】
前記搬送手段が、シート束を挟んで回転搬送する搬送回転体対を有し、前記搬送回転体対が、正逆回転可能であることを特徴とする請求項１乃至６のいずれか１項に記載のシート処理装置。
【請求項８】
前記搬送手段が、シート束を挟んで回転搬送する搬送回転体対を有し、前記搬送回転体対の少なくとも一方の回転体が、シート束に接離可能な回動部材の回動端部に設けられ、前記回動部材の回転中心が前記一方の回転体よりシート搬送方向の下流側に位置することを特徴とする請求項１乃至７のいずれか１項に記載のシート処理装置。
【請求項９】
前記積載手段に積載されたシートを移動させてシートの端部をストッパに突き当てる移動手段と、
前記移動手段によって移動されるシートの移動方向に対して交差するシートの端部を受け止めて前記端部を整合する整合手段と、を備え、
シートが積載手段に送り込まれてくる方向が、前記積載手段から排出される方向と同一であることを特徴とする請求項１乃至８のいずれか１項に記載のシート処理装置。
【請求項１０】
前記積載手段に積載されたシートを移動させてシートの端部をストッパに突き当てる移動手段と、
前記移動手段によって移動されるシートの移動方向に対して交差するシートの端部を受け止めて前記端部を整合する整合手段と、を備え、
シートが積載手段に送り込まれてくる方向が、前記積載手段から排出される方向に対して逆方向であることを特徴とする請求項１乃至９のいずれか１項に記載のシート処理装置。
【請求項１１】
前記第２案内路が、前記第１案内路から分岐して前記第１案内路から離れる方向に湾曲していることを特徴とする請求項２に記載のシート処理装置。
【請求項１２】
シートに画像を形成する画像形成手段と、
前記画像形成手段によって画像を形成されたシートを綴じるシート処理装置と、を備え、
前記シート処理装置が、請求項１乃至１１のいずれか１項に記載のシート処理装置であることを特徴とする画像形成装置。
【請求項１３】
シート処理装置が、前記画像形成手段の上部に備えられていることを特徴とする請求項１２に記載の画像形成装置。
【請求項１４】
原稿の画像を読み取る読取手段と、
前記読取手段の下方で前記読取手段の画像読み取り情報に基づいてシートに画像を形成する画像形成手段と、
前記画像形成手段によって画像を形成されたシートを綴じるシート処理装置と、を備え、
前記シート処理装置が、請求項１乃至１１のいずれか１項に記載のシート処理装置であり、前記読み取り手段と画像形成手段との間に配設されていることを特徴とする画像形成装置。
【手続補正２】
【補正対象書類名】明細書
【補正対象項目名】００１０
【補正方法】変更
【補正の内容】
【００１０】
上記目的を達成するため、本発明のシート処理装置は、シートが束状に積載される積載手段と、前記積載手段に積載されたシート束を綴じる綴じ手段と、前記綴じ手段によって綴じられたシート束を搬送する搬送手段と、を備え、前記搬送手段が、綴じられたシート束に対して接離可能にシート搬送方向に沿って複数配列され、前記複数の搬送手段のうち、搬送されてくるシート束の前記綴じ手段で綴じられた綴じ部の下流側隣に位置する搬送手段が、シート束から離間し、さらに下流側の搬送手段が、シート束を搬送するようになっている。
【手続補正３】
【補正対象書類名】明細書
【補正対象項目名】００２３
【補正方法】変更
【補正の内容】
【００２３】
図１において、シート処理装置１は、シート搬送方向の上流側に配設された積載手段としての処理トレイ４０と、下流側に配設された昇降自在なスタックトレイ４と、シート束を搬送する搬送手段としての第２、第３、第４揺動ローラ５２，５４，５５、及びこれらと各々対を成す第２、第３、第４駆動ローラ５７，７９，５８、最終排出ローラ対７４等を備えている。なお、第１駆動ローラは無い。また、搬送手段は、循環する２つのベルトからなるベルト対であってもよい。したがって、搬送手段は、ローラ対に限定されてない。
【手続補正４】
【補正対象書類名】明細書
【補正対象項目名】００２４
【補正方法】変更
【補正の内容】
【００２４】
本実施形態のシート処理装置１は、カラー複写機３０の第１排出ローラ対７より排出されたシートＰを、処理トレイ４０上で束状にしてそのままスタックトレイ４に排出する場合と、シート束の端部を端部綴じ手段としての端部ステイプラ１０で綴じてスタックトレイ４に排出する場合と、シート束の中間を綴じる中間部綴じ手段としての中間部ステイプラ１１で綴じて、シート突き板７２とシート折りローラ対７３上とで冊子状に２つ折りにして、スタックトレイ４に排出する場合とがある。中間部ステイプラ１１は、アンビル１２とドライバ１５とで構成されている。アンビル１２は、ドライバ１５に対して接近離間するようになっている。
【手続補正５】
【補正対象書類名】明細書
【補正対象項目名】００２５
【補正方法】変更
【補正の内容】
【００２５】
このため、シート処理装置１は、端部ステイプラ１０によって綴じられたシート束、又は綴じられないシート束を案内する第１案内路としての直線パス８５と、中間部ステイプラ１１によって綴じられたシート束をシート突き板７２とシート折りローラ対７３に案内する湾曲した第２案内路としての湾曲パス８６とを備えている。湾曲パス８６は、直線パス８５から分岐して、直線パス８５から離れる方向に湾曲している。シート突き板７２とシート折りローラ対７３等は、折り手段である折り装置７５を構成している。
【手続補正６】
【補正対象書類名】明細書
【補正対象項目名】００４２
【補正方法】変更
【補正の内容】
【００４２】
また、逆に、（Ｖ１＞Ｖ２）となったときには、第２駆動ローラ５７と第４駆動ローラ５８とでシート束の引っ張りあいが生じて、第２駆動ローラ５７と第４駆動ローラ５８との両方が、あるいはいずれか一方がシートに対してスリップして、シートや、トナー画像に傷を付けることがある。
【手続補正７】
【補正対象書類名】明細書
【補正対象項目名】００６２
【補正方法】変更
【補正の内容】
【００６２】
なお、湾曲パス８６、あるいは処理トレイ４０にあるシートの後端（図１３において左端）は、後続のシートが先行シートの下に潜り込まないように、不図示のフラッパで上から押えられている。これによって、後続のシートが、フラッパの上を通過して先行シートの上に頁順に重なるようになっている。フラッパは、後続のシートが先行シートに重なると、一旦持ち上がって、その後続のシートの後端を押えて、さらに続いてくる後続のシートを先のシートの上に案内して重なるようにしている。
【手続補正８】
【補正対象書類名】図面
【補正対象項目名】図３
【補正方法】変更
【補正の内容】
【図３】
2006027862.tif 000001